(57)【特許請求の範囲】
【請求項１】
電動工具の電源に用いられるバッテリから供給される電力により湯を沸かすことができる発熱機能と、前記バッテリの電流及び電圧を検出する回路を有し、規定以上の出力電流及び規定以下の出力電圧を検知した時に電力供給を停止する機能を備えた電気機器。
【請求項２】
請求項１記載の電気機器であって、前記発熱機能により湯を沸かすことができる湯沸し器若しくはコーヒーを抽出できるコーヒーメーカーである電気機器。
【請求項３】
請求項１又は２記載の電気機器であって、２種類以上の電圧定格に対応したバッテリを使用可能な電気機器。
【請求項４】
請求項１〜３の何れか１項に記載した電気機器であって、前記バッテリを複数並列に接続可能で、各バッテリを切り換えて電力供給可能な電気機器。
【請求項５】
請求項１〜４の何れか１項に記載した電気機器であって、異電圧のバッテリを組み合わせて使用可能な電気機器。
【請求項６】
請求項１〜５の何れか１項に記載した電気機器であって、規定電圧を超えるバッテリが挿入されている場合には、スイッチング素子により電力を抑制する機能を有する電気機器。
【請求項７】
請求項１〜６の何れか１項に記載した電気機器であって、水温センサを備えた電気機器。
【請求項８】
請求項１〜７の何れか１項に記載した電気機器であって、水温が沸点まで到達後に電力供給を抑制して水温を維持する保温機能を有する電気機器。
【請求項９】
請求項１〜８の何れか１項に記載した電気機器であって、前記バッテリを覆うカバーを有する電気機器。
【発明の詳細な説明】
【技術分野】
【０００１】
この発明は、屋外で利用する場合に便利なバッテリ式の電気機器に関する。
【背景技術】
【０００２】
例えば、一般家庭やオフィス等で用いられるコーヒーメーカー、電気コンロあるいは電気ポット等の電気機器は、通常１００ＶのＡＣ電源（交流電源）を電源とするもので、電源コードをＡＣ電源コンセントに接続して用いることができる。下記の特許文献には、保温等の一部の機能についてバッテリを補助電源として用いる技術が開示されているが、基本的にＡＣ電源を主電源とするものであった。
【先行技術文献】
【特許文献】
【０００３】
【特許文献１】特表平１０−５０６３１６号公報
【特許文献２】実開昭６３−１４７１４６号公報
【発明の概要】
【発明が解決しようとする課題】
【０００４】
このため、例えば建築作業現場あるいは園芸作業現場等の屋外でＡＣ電源用のコンセントが用意されていない場所では、これらの電気機器を使用することができない。また、従来、屋外用でＡＣ電源を必要としないコーヒーメーカー等の電気機器は提供されていなかった。
本発明は、ＡＣ電源が用意されていない主として建築作業現場や園芸作業現場等であっても利用できる電気機器を提供することを目的とする。
【課題を解決するための手段】
【０００５】
上記課題は、以下の発明によって解決される。
第１の発明は、電動工具の電源として取り付け可能なバッテリを電源とする発熱機能又は冷却機能を備えた電気機器である。
第１の発明によれば、電動工具用のバッテリを電源とするため、屋外等のＡＣ電源が用意されていない場所でも利用することができる。
例えば住宅建築の作業現場では、孔明け用の電気ドリル、ねじ締め用のねじ締め機あるいは丸鋸盤等の切断工具が多く用いられる。また、園芸作業現場では、チェーンソーや生垣バリカン等の園芸工具が用いられる。これらの電動工具には、充電式のバッテリを電源とするものが提供されている。従って、これらの屋外作業現場では電動工具用のバッテリを容易に確保することができ、これを電源として流用することにより従来にない便利な電気機器を提供することができる。
電動工具用のバッテリの電力を発熱又は冷却といった熱変換の電力に利用することにより、屋外で使用可能なバッテリ式のコーヒーメーカーや湯沸し器等の電気機器を提供することができる。
第２の発明は、第１の発明において、発熱機能により湯を沸かすことができる湯沸かし器若しくはコーヒーを抽出できるコーヒーメーカーである電気機器である。第２の発明によれば、電動工具用のバッテリを電源として取り付けることにより、その電力で発熱して湯を沸かす電気ケトルやコーヒーメーカーを利用することができる。
第３の発明は、第１又は第２の発明において、２種類以上の電圧定格に対応したバッテリを使用可能な電気機器である。第３の発明によれば、例えば、１４．４Ｖあるいは１８Ｖのリチウムイオンバッテリの何れをも電源として取り付けることができ、これにより電熱機器の使用範囲を拡げることができる。また、必要な電力に応じて切り換えることにより電力消費を抑えることができる。
第４の発明は、第１〜第３の何れか一つの発明において、バッテリを複数並列に接続可能で、各バッテリを切り換えて電力供給可能な電気機器である。第４の発明によれば、並列接続した複数のバッテリを手動又は自動で切り換えることにより、バッテリ交換や取り外して充電するといった手間を掛けることなく電気機器を長時間連続使用することができる。
第５の発明は、第１〜第４の何れか一つの発明において、異電圧のバッテリを組み合わせて使用可能な電気機器である。第５の発明によれば、例えば、１８Ｖのリチウムイオンバッテリと１４．４Ｖのリチウムイオンバッテリを直列又は並列に取り付けて電気機器を長時間連続使用することができる。また、例えば同じ電圧のバッテリを用意できない場合に、異なる電圧のバッテリを複数組み合わせることができるので、電気機器の使用可能な条件を緩和して一層利用しやすくすることができる。
第６の発明は、第１〜５の何れか一つの発明において、バッテリの電流及び電圧を検出する回路を有し、規定以上の出力電流及び規定以下の出力電圧を検知した時に電力供給を停止する機能を有する電気機器である。第６の発明によれば、規定以上の電流が出力される過負荷状態、規定電圧以下の過放電状態を的確に検知して、電力供給を停止することにより電気機器の損傷やバッテリの劣化等を未然に回避してその耐久性を高めることができる。
第７の発明は、第１〜６の何れか一つの発明において、規定電圧を超えるバッテリが挿入されている場合には、スイッチング素子により電力を抑制する機能を有する電気機器である。第７の発明によれば、電気機器の損傷等を未然に防止することができるので、当該電気機器の耐久性を高めることができる。
第８の発明は、第１〜７の何れか一つの発明において、水温センサを備えた電気機器である。第８の発明によれば、水温センサにより湯が沸いたことを検知して、電力供給を停止若しくは抑制することにより、無駄な電力消費を抑えることができ、これにより当該電気機器の付加価値を高めることができる。
第９の発明は、第１〜８の何れか一つの発明において、水温が沸点まで到達後に電力供給を抑制して水温を維持する保温機能を有する電気機器である。第９の発明によれば、湯沸かしが完了した後、自動的に保温されるので、使用者が特別の操作をすることなくお湯を長時間適温に保つことができ、これにより当該電気機器の付加価値を高めることができる。
第１０の発明は、第１〜９の何れか一つの発明において、バッテリを覆うカバーを有する電気機器である。第１０の発明によれば、バッテリの防水機能及び防塵機能を持たせることができるので、当該電気機器を作業現場等の屋外で安心して使用することができる。
【図面の簡単な説明】
【０００６】
【図１】第１実施形態の電気機器の全体斜視図である。本図では、電気機器としてコーヒーメーカーが例示されている。また、本図では、バッテリ収納蓋が閉じられた状態で示されている。
【図２】第１実施形態の電気機器の全体斜視図である。本図では、電気機器としてコーヒーメーカーが例示されている。また、本図では、バッテリ収納蓋が開けられた状態で示されている。
【図３】第１実施形態の電気機器の全体斜視図である。本図では、電気機器としてコーヒーメーカーが例示されている。また、本図では、バッテリ収納部からバッテリが取り外された状態で示されている。
【図４】第２実施形態の電気機器の全体斜視図である。本図では、電気機器としてコーヒーメーカーが例示されている。また、本図では、バッテリ収納蓋が閉じられた状態で示されている。
【図５】第２実施形態の電気機器の全体斜視図である。本図では、電気機器としてコーヒーメーカーが例示されている。また、本図では、バッテリ収納蓋が開けられた状態で示されている。
【図６】第２実施形態の電気機器の全体斜視図である。本図では、電気機器としてコーヒーメーカーが例示されている。また、本図では、バッテリ収納部からバッテリが取り外された状態で示されている。
【図７】第３実施形態の電気機器の全体斜視図である。本図では、電気機器として電気ケトルが例示されている。また、本図では、バッテリ収納蓋が閉じられた状態で示されている。
【図８】第３実施形態の電気機器の全体斜視図である。本図では、電気機器として電気ケトルが例示されている。また、本図では、バッテリ収納蓋が開けられた状態で示されている。
【図９】第３実施形態の電気機器の全体斜視図である。本図では、電気機器として電気ケトルが例示されている。また、本図では、バッテリ収納部からバッテリが取り外された状態で示されている。
【図１０】第４実施形態の電気機器の全体斜視図である。本図では、電気機器として電気ケトルが例示されている。また、本図では、バッテリ収納蓋が閉じられた状態で示されている。
【図１１】第４実施形態の電気機器の全体斜視図である。本図では、電気機器として電気ケトルが例示されている。また、本図では、バッテリ収納蓋が開けられた状態で示されている。
【図１２】第４実施形態の電気機器の全体斜視図である。本図では、電気機器として電気ケトルが例示されている。また、本図では、バッテリ収納部からバッテリが取り外された状態で示されている。
【図１３】第５実施形態の電気機器の全体斜視図である。本図では、電気機器として電気ケトルが例示されている。また、本図では、バッテリ収納蓋が閉じられた状態で示されている。
【図１４】第５実施形態の電気機器の全体斜視図である。本図では、電気機器として電気ケトルが例示されている。また、本図では、バッテリ収納蓋が開けられた状態で示されている。
【図１５】第５実施形態の電気機器の全体斜視図である。本図では、電気機器として電気ケトルが例示されている。また、本図では、バッテリ収納部からバッテリが取り外された状態で示されている。
【図１６】第６実施形態の電気機器の全体斜視図である。本図では、電気機器として電気ケトルが例示されている。また、本図では、バッテリ収納蓋が閉じられた状態で示されている。
【図１７】第６実施形態の電気機器の全体斜視図である。本図では、電気機器として電気ケトルが例示されている。また、本図では、バッテリ収納蓋が開けられた状態で示されている。
【図１８】第６実施形態の電気機器の全体斜視図である。本図では、電気機器として電気ケトルが例示されている。また、本図では、バッテリ収納部から二つのバッテリが取り外された状態で示されている。
【図１９】第１又は第２実施形態に係る電気機器であってコーヒーメーカー用の制御回路を示すブロック図である。
【図２０】第３〜第６実施形態の何れかに係る電気機器であって電気ケトル用の制御回路を示すブロック図である。
【図２１】バッテリ式電動工具の全体斜視図である。本図では、電動工具の一例としてバッテリ式の電気カンナが示されている。
【発明を実施するための形態】
【０００７】
次に、本発明の実施形態を図１〜図２１に基づいて説明する。図１〜図３は第１実施形態の電気機器１０を示している。第１実施形態では、電気機器１０としてドリップ式のコーヒーメーカーが例示されている。この電気機器１０は、貯水タンク内の水をヒーターで加熱沸騰させて、取っ手付きのデカンタ１２の上部にセットしたコーヒー粉に注ぐことによりデカンタ１２内にコーヒーをドリップする機器本体部１１を備えている。機器本体部１１の基本的構成については従来公知のもので、本実施形態において特に変更を要しない。図中符号１３は、保温プレート部を示している。この保温プレート部１３上にガラス容器製のデカンタ１２が乗せられて、ドリップしたコーヒーの保温がなされる。デカンタ１２の注ぎ口に円筒形のフィルタケース１４がセットされる。フィルタケース１４内にフィルタが装着され、フィルタ内にコーヒー粉が適量入れられている。
本実施形態の電気機器１０は、電源としてＡＣ電源ではなく、充電式のバッテリＢ１を電源とし、しかもこのバッテリＢ１には、電動工具のバッテリとして用いられるものが、そのまま電源として用いられる点に大きな特徴を有している。この点は、以下説明する各実施形態について同様である。
機器本体部１１の後部にバッテリ収納部１５が設けられている。図２に示すようにこのバッテリ収納部１５はバッテリ収納蓋１６によって開閉される。バッテリ収納蓋１６の閉じ状態は、蓋ストッパ１７によってロックされる。このバッテリ収納蓋１６を閉じることにより、バッテリ収納部１５内及びバッテリＢ１の防水及び防塵がなされる。
図３に示すようにバッテリ収納蓋１６を開ければ、バッテリ収納部１５内に取り付けたバッテリＢ１を取り外すことができる。第１実施形態では、１８ＶのバッテリＢ１が用いられている。このバッテリＢ１は、別途用意した充電器により充電して繰り返し使用することができる。バッテリ収納部１５の上部にバッテリ取り付け部１５ａが設けられている。このバッテリ取り付け部１５ａに対してスライドさせることにより、バッテリＢ１をバッテリ収納部１５内に取り付け、取り外しすることができる。バッテリ取り付け部１５ａにバッテリＢ１を取り付けると、機器本体部１１に内装した電源回路にこのバッテリＢ１が電気的に接続される。
上記したようにこのバッテリＢ１は、電動工具の電源として用いられるものが利用される。図２１には、このバッテリＢ１を取り付けた電動工具１が示されている。図２１では、この電動工具１の一例として充電式の電気カンナが示されている。この電動工具１は、工具本体部２の後部にバッテリ取り付け部３を備えている。このバッテリ取り付け部３に対して上側から下方へスライドさせることによりバッテリＢ１を取り付けることができる。逆に、ロックボタンＢｃを指先で押し下げ操作して上方へスライドさせれば、このバッテリＢ１をバッテリ取り付け部３から取り外すことができる。
図示するようにこのバッテリＢ１は、バッテリケースＢａ内に複数本のバッテリセルＢｂ〜Ｂｂを内装したバッテリパックと称されるもので、その出力電圧に応じて適数本のバッテリセルＢｂが内装されている。工具本体部２のバッテリ取り付け部３から取り外したバッテリＢ１を、そのまま電気機器１０の電源として使用することができる。第１実施形態では、この一つのバッテリＢ１を電源として用いる電気機器１０が例示されている。
【０００８】
図４〜図６には、出力電圧が異なる二つのバッテリＢ１，Ｂ２を電源とする第２実施形態の電気機器２０が示されている。第２実施形態では、電源として１８ＶのリチウムイオンバッテリＢ１と１４．４ＶのリチウムイオンバッテリＢ２が用いられている。前記したように前者の１８ＶバッテリＢ１は、電気カンナ１のバッテリとして用いられ、後者の１４．４ＶバッテリＢ２は例えば電気ドリル等の別の電動工具のバッテリとして用いられる。
この電気機器２０もコーヒーメーカーで、第１実施形態と同じ構成の機器本体部２１とデカンタ２２と保温プレート２３とフィルタケース２４を備えている。機器本体２１の後部にバッテリ収納部２５が設けられている。このバッテリ収納部２５はバッテリ収納蓋２６によって開閉される。バッテリ収納蓋２６の閉じ状態は、蓋ストッパ２７によってロックされる。このバッテリ収納蓋２６を閉じることにより、バッテリ収納部２５内及びバッテリＢ１，Ｂ２の防水及び防塵がなされる。
図５及び図６に示すようにこのバッテリ収納蓋２６を開ければ、二つのバッテリＢ１，Ｂ２を取り付け、取り外しすることができる。バッテリ収納部２５は、二つのバッテリＢ１，Ｂ２を収容可能なスペースを有しており、その上部に二つのバッテリ取り付け部２５ａ，２５ｂを備えている。図６において左側のバッテリ取り付け部２５ａに、１８ＶバッテリＢ１が取り付けられ、右側のバッテリ取り付け部２５ｂに１４．４ＶバッテリＢ２が取り付けられる。両バッテリＢ１，Ｂ２は、それぞれロックボタンＢｃを指先で押し下げ操作して後方へスライドさせることにより取り外すことができる。
【０００９】
図７〜図９には、第３実施形態の電気機器３０が示されている。第３実施形態では、電気機器３０として、電気ケトルが例示されている。この電気機器３０は、ヒーター（電熱器）を内装した円筒形の機器本体部３１と、その上部に設けた取っ手３２を備えている。機器本体部３１の前部に注ぎ口３１ａが設けられている。この注ぎ口３１ａからお湯を注ぎ出すことができ、逆にこの注ぎ口３１ａから機器本体部３１に水を流し込むことができる。
機器本体部３１の後部に、バッテリ収納部３３が設けられている。図８に示すようにこのバッテリ収納部３３は、バッテリ収納蓋３４で開閉される。バッテリ収納蓋３４は、ヒンジ部３４ａを介して上下に回動させることにより開閉することができる。このバッテリ収納蓋３４を閉じることにより、バッテリ収納部３３内及びバッテリＢ１の防水及び防塵がなされる。
図９に示すようにこのバッテリ収納部３３に一つのバッテリＢ１が取り付けられている。第３実施形態では、第１実施形態と同様、このバッテリＢ１に１８Ｖのリチウムイオンバッテリが用いられており、これは図２１に示す電気カンナ１の電源として用いられるものがそのまま流用される。
バッテリ収納部３３の底部に、スライド形式のバッテリ取り付け部３３ａが設けられている。このバッテリ取り付け部３３ａに対してバッテリＢ１を上方へスライドさせることにより取り付けることができ、逆にロックボタンＢｃを指先で押し下げ操作して下方へスライドさせれば取り外すことができる。第３実施形態の電気機器３０は、このバッテリＢ１を電源として機器本体部３１でお湯を沸かすことができる。バッテリＢ１は、バッテリ収納部３２から取り外して、別途用意した充電器で充電することにより繰り返し再使用することができる。
【００１０】
図１０〜図１２には、第４実施形態の電気機器４０が示されている。この第４実施形態でも、電気機器４０として、電気ケトルが例示されている。この電気機器４０は、ヒーターを内装した円筒形の機器本体部４１と、その上部に設けられた取っ手４２を備えている。機器本体部４１の前部に注ぎ口４１ａが設けられている。機器本体部４１の後部に、バッテリ収納部４３が設けられている。図１１に示すようにこのバッテリ収納部４３も、バッテリ収納蓋４４で開閉することができる。バッテリ収納蓋４４は、ヒンジ部４４ａを介して上下に回動させることにより開閉することができる。バッテリ収納部４３内には、第２実施形態と同じく出力電圧が異なる二つのバッテリＢ１，Ｂ２が取り付けられている。このバッテリ収納蓋４４を閉じることにより、バッテリ収納部４３内及びバッテリＢ１，Ｂ２の防水及び防塵がなされる。
バッテリＢ１には１８Ｖのリチウムイオンバッテリが用いられ、バッテリＢ２には１４．４Ｖのリチウムイオンバッテリが用いられている。何れも、バッテリ収納部４３から取り外してそれぞれ電気カンナ１若しくは電気ドリル等他の形態の電動工具の電源として用いられる。バッテリ収納部４３の底部には、バッテリＢ１，Ｂ２を取り付けるためのスライド形式のバッテリ取り付け部４３ａ，４３ｂが設けられている。バッテリＢ１，Ｂ２をそれぞれバッテリ取り付け部４３ａ，４３ｂに取り付けると、両バッテリＢ１，Ｂ２が機器本体部４１内に内装した電源回路に電気的に接続される。
【００１１】
図１３〜図１５には、第５実施形態の電気機器５０が示されている。第５実施形態でも、この電気機器５０として電気ケトルが例示されている。この電気機器５０は、ヒーターを内装した円筒形の機器本体部５１と、その上部開口部を塞ぐ蓋５２を備えている。機器本体部５１の前部に注ぎ口５１ａが設けられ、後部に取っ手５１ｂが設けられている。蓋５２を開けて機器本体部５１内に水を流し込み、これを沸かして注ぎ口５１ａから注ぎ出すことができる。
機器本体部５１の下部に同じく円柱体形のバッテリ収納部５３が設けられている。第５実施形態の場合、バッテリ収納部５３は、機器本体部５１と同じ太さ（径）で設けられて、機器本体部５１との一体感が持たせられている。このバッテリ収納部５３は、横開き式のバッテリ収納蓋５４で開閉することができる。このバッテリ収納蓋５４を閉じることにより、バッテリ収納部５３内及びバッテリＢ１の防水及び防塵がなされる。
図１４に示すようにバッテリ収納蓋５４は、ヒンジ部５４ａを介して横方向に回動させて開閉させることができる。バッテリ収納部５３内には、１８ＶのリチウムイオンバッテリＢ１が取り付けられている。このバッテリＢ１を電源として機器本体部５１に内装したヒーターに電力を供給し、これにより機器本体部５１内に貯留した水を沸騰させることができる。後述するように沸騰後、保温機能に切り換わって電力消費が抑制される。
図１５に示すようにバッテリ収納蓋５４を開いて、ロックボタンＢｃを指先で押し下げ操作しつつバッテリＢ１を図示手前側にスライドさせれば、このバッテリＢ１をバッテリ収納部５３から取り外すことができる。取り外したバッテリＢ１は、別途充電器で充電することにより繰り返し再使用することができる。
バッテリ収納部５３の上部に、スライド形式のバッテリ取り付け部５３ａが設けられている。このバッテリ取り付け部５３ａは、電動工具１のバッテリ取り付け部３と互換性を有する構成を備えている。
バッテリＢ１とヒーター７１との間は、断熱材５５で仕切られている。この断熱材５５により、高温になるヒーター７１及び機器本体部５１内に貯留している沸騰したお湯の熱がバッテリＢ１に伝わりにくくなる。一般的にバッテリは保管温度が高くなれば寿命が短くなるのであるが、この断熱材５５により、バッテリＢ１の温度上昇を防ぎ、バッテリＢ１の寿命を長くすることができる。
【００１２】
図１６〜図１８には、第６実施形態の電気機器６０が示されている。第５実施形態と同じく、この第６実施形態の電気機器６０としても電気ケトルが例示されている。ヒーターを内装した円筒形の機器本体部６１の上部に蓋６２が開閉可能に設けられている。機器本体部６１の前部に注ぎ口６１ａが設けられ、後部に取っ手６１ｂが設けられている。
機器本体部６１の下部に、バッテリ収納部６３が設けられている。このバッテリ収納部６３は第５実施形態のバッテリ収納部５３よりもやや大型で矩形箱形を有している。このバッテリ収納部６３によって機器本体部６１に設置の安定感が持たせられている。第６実施形態の場合、このバッテリ収納部６３内に二つのバッテリＢ１，Ｂ２が取り付けられている。図１７に示すようにバッテリ収納部６３には、第５実施形態と同様横開き式のバッテリ収納蓋６４が設けられている。このバッテリ収納蓋６４は、ヒンジ部６４ａを介して横方向に回動させることにより開閉することができる。このバッテリ収納蓋６４を閉じることにより、バッテリ収納部６３内及びバッテリＢ１，Ｂ２の防水及び防塵がなされる。
図１８に示すようにバッテリ収納蓋６４を開放して、それぞれロックボタンＢｃを指先で押し下げ操作した状態でバッテリＢ１，Ｂ２を図示手前側にスライドさせることにより、このバッテリＢ１，Ｂ２をバッテリ収納部６３から取り外すことができる。第２、第４実施形態と同じく、バッテリＢ１には、１８Ｖのリチウムイオンバッテリが用いられ、バッテリＢ２には、１４．４Ｖのリチウムイオンバッテリが用いられている。また、これらは、それぞれ電動工具１（電気カンナ）若しくは電気ドリル等他の形態の電動工具の電源として用いられるものがそのまま利用される。バッテリＢ１，Ｂ２は、別途用意した充電器で充電することにより繰り返し再使用することができる。
【００１３】
以上説明した第１〜第６実施形態では、電気機器１０，２０，３０，４０，５０，６０の電源としてＡＣ電源ではなく、充電式のバッテリＢ１，Ｂ２が用いられている。このバッテリＢ１は、１８Ｖのリチウムイオンバッテリで、充電式の電動工具１（電気カンナ）の電源として用いられるものがそのバッテリ取り付け部３から取り外されてそのまま流用されている。また、バッテリＢ２は、１４．４Ｖのリチウムイオンバッテリで、これも例えば電気ドリルやねじ締め器等の充電式電動工具の電源として用いられるものがそのまま流用されている。
このため、例示した各実施形態によれば、ＡＣ電源を確保しづらい屋外の建築作業現場あるいは公園での園芸作業現場等において、電気カンナや生垣バリカン等の充電式電動工具１を用いる場合に、一時的に電動工具１のバッテリ取り付け部３からバッテリＢ１（Ｂ２）を取り外して、これをバッテリ収納部１５，２５，３３，４３，５３，６３に取り付けることにより、コーヒーメーカーや電気ケトル等の電気機器１０，２０，３０，４０，５０，６０を利用することができる。バッテリＢ１，Ｂ２は、電動工具１の場合と同じく、充電器で充電することにより繰り返し再使用することができる。
【００１４】
次に、以上例示した第１、第２実施形態に係る電気機器１０，２０の何れにも適用可能なヒーター制御回路７０について説明する。このヒーター制御回路７０の説明については、第２実施形態の電動機器２０（コーヒーメーカー）に適用した場合について説明する。このヒーター７１によって、機器本体部２１に貯留した水が加熱されるとともに、保温プレート２３が温められる。
図１９にこのヒーター制御回路７０がブロック図で示されている。電動機器２０に内装したヒーター７１がこの制御回路７０によって温度制御等される。この制御回路７０には、バッテリ収納部２５に取り付けたバッテリＢ１，Ｂ２が電気的に接続されている。
バッテリＢ１及び／又はＢ２がバッテリ収納部２５に取り付けられると、それぞれＦ１，Ｆ２、ダイオードＤ１，Ｄ２を通じて、定電圧レギュレータ７４に電力が供給される。これにより、定電圧レギュレータ７４は一定電圧をＣＰＵ７５に供給し、ＣＰＵ７５は動作可能となる。この場合、定電圧レギュレータ７４のＣＰＵ７５への供給電圧は５Ｖである。
両バッテリＢ１，Ｂ２の電圧は、それぞれ電圧検出素子７２，７３によって検知される。検知されたバッテリＢ１，Ｂ２の電圧データは、ＣＰＵ７５に入力される。
ＣＰＵ７５がバッテリＢ１，Ｂ２の装着を検出し、水位センサ７９により湯沸かし用の水があることを検知した場合、スイッチＳＷ１又はＳＷ２を閉じる。スイッチＳＷ１，ＳＷ２には、一般的に電界効果トランジスタ（Field effect transistor、FET）等の電子的なスイッチを用いても、リレー等の機械的なスイッチを用いても良い。
その後、スイッチＳＷ３を閉じることにより、湯沸用ヒーター７１へ給電が可能となる。スイッチＳＷ３には一般的な電界効果トランジスタ等の電子的なスイッチが用いられている。ＣＰＵ７５は電圧検出素子７２，７３によって検知された電圧データ及び湯沸用ヒーター７１の定格電圧から考慮してスイッチＳＷ３をオンオフ制御する。例えば、湯沸用ヒーター７１の定格電圧が１４．４Ｖ、バッテリＢ１の電圧が１８Ｖの場合、スイッチＳＷ３の開閉の時間比を、
（スイッチＳＷ３の閉時間）：（スイッチＳＷ３の開時間）＝１：４
とすることで、湯沸用ヒーター７１に印加される平均電圧を１４．４Ｖにすることができ、これにより湯沸用ヒーター７１の損傷等を防ぎつつ、電力消費を抑えることができる。
また同様に、湯沸用ヒーター７１の定格電圧が１４．４Ｖ、バッテリＢ１の電圧が１４．４Ｖの場合は、スイッチＳＷ３を常時オンすることにより、湯沸用ヒーター７１を損傷等することなく利用できる。湯沸用ヒーター７１に通電している時は、表示ランプ７６が点灯して加熱中であることが報知される。
【００１５】
この方法により、第１、第２実施形態において使用可能なバッテリ電圧は、物理的な接続が可能であれば使用可能となる。例えば３６Ｖバッテリのように電圧が高いバッテリを用いることにより、湯沸かしの水量を多くすることや保温時間を延ばすことも可能となり、当該電気機器１０，２０の付加価値を高めることができる。
また同じく、この方法により、図６ではバッテリ取り付け部２５ａに１８Ｖバッテリ、バッテリ取り付け部２５ｂに１４．４Ｖバッテリを使用しているが、これに限定されることなく、使用者がバッテリの挿入場所を特別に意識することなく利用可能である。
機器本体部２１に貯留した水の温度が水温センサ７７により検知される。水が沸騰するとこれが水温センサ７７で検知され、検知された水温データがＣＰＵ７５に入力される。沸騰して蒸気となった水はその後冷やされてフィルタケース２４内に滴下する。フィルタケース２４内に投入したコーヒー粉に水蒸気が滴下することにより、コーヒーがデカンタ２２内に抽出される。
水位センサ７９で水が検出されなくなるとＣＰＵ７５は湯沸用ヒーター７１への通電を停止する。すなわち、スイッチＳＷ３を開く。また、保温用ヒーター８０は湯沸用ヒーター７１と同様、スイッチＳＷ４をオンオフさせることにより、保温に適した電力を保温用ヒーター８０に供給する。
湯沸用ヒーター７１や保温用ヒーター８０への通電中に、使用しているバッテリＢ１が規定電圧以下になった場合は、スイッチＳＷ１を開き、その後スイッチＳＷ２を閉じることにより、湯沸用ヒーター７１や保温用ヒーター８０への給電を継続することが可能である。これにより、使用者が特別の操作をすることなく、自動的に湯沸かしや保温が長時間継続されるので、当該電気機器１０，２０の付加価値を高めることができる。
【００１６】
次に第３〜第６実施形態に係る電気機器３０，４０，５０，６０の何れにも適用可能なヒーター制御回路９０について説明する。図２０に、このヒーター制御回路９０のブロック図が示されている。このヒーター制御回路９０の説明については、第４実施形態の電気機器４０（電気ケトル）に適用した場合について説明する。上記例示したコーヒーメーカー用のヒーター制御回路７０では、湯沸用ヒーター７１と保温用ヒーター８０とに分かれていたが、この電気ケトル用のヒーター制御回路９０では保温用ヒーター８０が省略されて湯沸用ヒーター７１のみを備えた構成となっている。その他の構成については図１９に示すヒーター制御回路７０と同様であるので、同位の符号を用いてその説明を省略する。また、水から湯を沸かす段階までは、前述のヒーター制御回路７０と同様であるので、説明を省略する。機器本体部４１に貯留した水の温度が水温センサ７７により検知される。水が沸騰すると、これが水温センサ７７で検知され、検知された水温データがＣＰＵ７５に入力される。その後、ＣＰＵ７５はスイッチＳＷ３のオンオフ制御のオン時間をさらに短くし、湯沸用ヒータ７１への電力供給を保温に適した値まで低下させることにより、沸かしたお湯を保温しつつ、大幅に電力を抑制することができる。これにより、自動的に保温されるので、使用者が特別の操作をすることなく、お湯を長時間適温に保つことができ、当該電気機器３０，４０，５０，６０の付加価値を高めることができる。
さらに、各実施形態において、バッテリ収納部１５，２５，３３，４３，５３，６３をそれぞれバッテリ収納蓋１６，２６，３４，４４，５４，６４で閉じることにより、当該バッテリ収納部１５，２５，３３，４３，５３，６３の内部及び取り付けたバッテリＢ１，Ｂ２の防水と防塵がなされることから、当該電気機器１０，２０，３０，４０，５０，６０を各種の屋外作業現場等において降雨からバッテリを保護することができ、また粉塵環境においても安心して使用することができる。
【００１７】
以上説明した実施形態にはさらに変更を加えることができる。例えば、電動工具用のバッテリを電源として用いる電気機器としてコーヒーメーカーと電気ケトルを例示したが、保温機能付きの電気ポット、電気コンロ、電気ヒーター、ベストウォーマー、電気湯たんぽ、電気アンカあるいは携帯カイロ等の各種の電気機器に適用することができる。
また、バッテリＢ１，Ｂ２により供給される電力で熱交換器を作動させることにより、バッテリ式の小型冷蔵庫を提供することができる。ＡＣ電源を必要としないバッテリ式の冷蔵庫によれば、屋外の作業現場等において充電式電動工具のバッテリを電源として用いることができるので、作業休憩時等に冷たい飲料を作業者に提供することができる。
また、各実施形態では１８ＶバッテリＢ１と、１４．４ＶバッテリＢ２を用いる構成で例示したが、両バッテリＢ１，Ｂ２を相互に左右入れ替えて取り付ける構成、二つの１８ＶバッテリＢ１，Ｂ１を用いる構成、二つの１４．４ＶバッテリＢ２，Ｂ２を用いる構成としてもよい。
さらに、一方のバッテリ取り付け部２５ａ（２５ｂ）についてのみ１８ＶバッテリＢ１（又は１４．４ＶバッテリＢ２）を取り付けて、他方のバッテリ取り付け部２５ｂ（２５ａ）を空にした状態で電気機器を用いる構成としてもよい。
また、電源に利用する電動工具用のバッテリは、１４．４Ｖあるいは１８Ｖのものに限らず、７．２Ｖ、１０．８Ｖあるいは３６Ｖ等のその他の定格電圧のバッテリを用いることもできる。また、リチウムイオンバッテリに限らず、ニッケルカドミウム（Ｎｉ−Ｃｄ）バッテリ等のその他の形態の電動工具用バッテリを用いることもできる。
さらに、スライド取り付け形式のバッテリを例示したが、差し込み式のバッテリについても同様に適用することができる。
また、電動工具として電気カンナを例示したが、孔明け用の電気ドリル、ねじ締め用の電動ねじ締め機、あるいは卓上丸鋸盤等の切断機等のその他の形態の充電バッテリ式電動工具に用いるバッテリ（バッテリパック）を、各種の電気機器の電源として用いることができ、これによりＡＣ電源のない屋外作業現場等でコーヒーメーカーや電気ケトル等の電気機器を利用することができるとともに、電動工具の予備バッテリを有効に活用することができる。
さらに、電動工具用のバッテリと通常のＡＣ電源の何れも電源として利用できる充交両用としてもよい。
【符号の説明】
【００１８】
Ｂ１…バッテリ（１８Ｖリチウムイオンバッテリ）
Ｂ２…バッテリ（１４．４Ｖリチウムイオンバッテリ）
Ｂａ…バッテリケース、Ｂｂ…バッテリセル、Ｂｃ…ロックボタン
１…充電式電動工具（電気カンナ）
２…工具本体部
３…バッテリ取り付け部
１０…電気機器（第１実施形態）
１１…機器本体部
１２…デカンタ
１３…本プレート部
１４…フィルタケース
１５…バッテリ収納部、１５ａ…バッテリ取り付け部
１６…バッテリ収納蓋
１７…蓋ストッパ
２０…電気機器（第２実施形態）
２１…機器本体部
２２…デカンタ
２３…保温プレート部
２４…フィルタケース
２５…バッテリ収納部、２５ａ，２５ｂ…バッテリ取り付け部
２６…バッテリ収納蓋
２７…蓋ストッパ
３０…電気機器（第３実施形態）
３１…機器本体部、３１ａ…注ぎ口
３２…取っ手
３３…バッテリ収納部
３４…バッテリ収納蓋
４０…電気機器（第４実施形態）
４１…機器本体部
４２…取っ手
４３…バッテリ収納部、４３ａ，４３ｂ…バッテリ取り付け部
４４…バッテリ収納蓋、４４ａ…ヒンジ部
５０…電気機器（第５実施形態）
５１…機器本体部、５１ａ…注ぎ口
５２…蓋
５３…バッテリ収納部、５３ａ…バッテリ取り付け部
５４…バッテリ収納蓋、５４ａ…ヒンジ部
６０…電気機器（第６実施形態）
６１…機器本体部、６１ａ…注ぎ口、６１ｂ…取っ手
６２…蓋
６３…バッテリ収納部
６４…バッテリ収納蓋、６４ａ…ヒンジ部
７０…ヒーター制御回路（コーヒーメーカー用）
７１…ヒーター
７２，７３…電圧検出素子
７４…定電圧レギュレータ
７５…ＣＰＵ
７６…表示ランプ
７７…水温センサ
７８…電流検出素子
７９…水位センサ
８０…保温用ヒーター
９０…ヒーター制御回路（電気ケトル用）
【図１】
0005657332.tif 000002
【図２】
0005657332.tif 000003
【図３】
0005657332.tif 000004
【図４】
0005657332.tif 000005
【図５】
0005657332.tif 000006
【図６】
0005657332.tif 000007
【図７】
0005657332.tif 000008
【図８】
0005657332.tif 000009
【図９】
0005657332.tif 000010
【図１０】
0005657332.tif 000011
【図１１】
0005657332.tif 000012
【図１２】
0005657332.tif 000013
【図１３】
0005657332.tif 000014
【図１４】
0005657332.tif 000015
【図１５】
0005657332.tif 000016
【図１６】
0005657332.tif 000017
【図１７】
0005657332.tif 000018
【図１８】
0005657332.tif 000019
【図１９】
0005657332.tif 000020
【図２０】
0005657332.tif 000021
【図２１】
0005657332.tif 000022